(57)【要約】      （修正有）【課題】放送されたデジタルコンテンツを安定して受信し再生する。【解決手段】放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置であって、前記放送受信部および通信受信部により受信されたコンテンツデータそれぞれを平行して取得し記憶するコンテンツ保存部と、前記放送受信部および通信受信部における受信状態を監視する受信状態監視部と、前記放送受信部で受信されたコンテンツデータ、前記放送受信部で受信されたコンテンツデータ、および前記コンテンツ保存部に記憶されたコンテンツデータから前記受信状態に基づき前記コンテンツデータを連続再生用に選択し前記再生部に提供する再生コンテンツ選択部とを備えたことを特徴とするコンテンツ受信装置。【選択図】図１
2011120089.tif 000002
【特許請求の範囲】
【請求項１】
放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置であって、
前記放送受信部および通信受信部により受信された前記コンテンツデータそれぞれを取得し記憶するコンテンツ保存部と、
前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供する再生コンテンツ選択部とを備えたことを特徴とするコンテンツ受信装置。
【請求項２】
請求項１に記載のコンテンツ受信装置において、
前記再生コンテンツ選択部は、前記放送受信部により受信されなかったコンテンツデータを示す欠落コンテンツを検知する欠落コンテンツ検知機能を備え、
前記通信受信部は、前記欠落コンテンツを前記インターネット網を介して取得するコンテンツ選択取得機能を備えたことを特徴とするコンテンツ受信装置。
【請求項３】
請求項２に記載のコンテンツ受信装置において、
前記コンテンツ保存部に記憶されなかったコンテンツデータを検知し当該検知されたコンテンツデータを前記インターネット網を介して接続された他のコンテンツ受信装置に対して要求するコンテンツ要求部と、
前記他のコンテンツ受信装置からの要求に応じて前記コンテンツ保存部に記憶されたコンテンツを送信する要求コンテンツ返信部とを備えたことを特徴とするコンテンツ受信装置。
【請求項４】
請求項１に記載のコンテンツ受信装置において、
前記再生コンテンツ選択部は、
前記再生部で新たに再生されるコンテンツデータを示す再生コンテンツおよび前記コンテンツ保存部に対して新たに記憶されたコンテンツデータを示す保存コンテンツを監視する受信コンテンツ監視機能と、
前記通信受信部で新たに受信されたコンテンツデータである通信コンテンツと前記保存コンテンツとが共通内容である場合に、前記保存コンテンツを優先的に選択し前記再生部に供給する保存コンテンツ優先供給機能とを有することを特徴としたコンテンツ受信装置。
【請求項５】
請求項４に記載のコンテンツ受信装置において、
前記再生コンテンツ選択部は、前記通信受信部で新たに受信されたコンテンツデータである通信コンテンツと前記保存コンテンツとが共通内容である場合に、前記通信受信部におけるコンテンツデータの受信を抑制する制御を行う通信受信抑制機能を備えたことを特徴とするコンテンツ受信装置。
【請求項６】
請求項１に記載のコンテンツ受信装置において、
前記再生コンテンツ選択部は、
前記再生部で再生されるコンテンツデータを示す再生コンテンツおよび前記コンテンツ保存部に対して新たに記憶されたコンテンツデータを示す保存コンテンツを監視する受信コンテンツ監視機能と、
前記放送受信部で新たに受信されたコンテンツデータである放送コンテンツと前記保存コンテンツとが異なる場合に、前記保存コンテンツを優先的に選択し前記再生部に供給する保存コンテンツ優先再生機能とを有することを特徴としたコンテンツ受信装置。
【請求項７】
請求項１に記載のコンテンツ受信装置において、
前記再生コンテンツ選択部は、
前記再生部で再生されるコンテンツデータを示す再生コンテンツおよび前記コンテンツ保存部に対して新たに記憶されたコンテンツデータを示す保存コンテンツを監視する受信コンテンツ監視機能と、
前記放送受信部における単位時間に対するコンテンツデータの受信量を示す受信レートが予め設定された一定値より高く且つ前記放送受信部で新たに受信されたコンテンツデータである放送コンテンツと前記保存コンテンツとが共通内容である場合に、前記放送コンテンツを優先的に選択し前記再生部に供給する放送コンテンツ優先再生機能とを有することを特徴としたコンテンツ受信装置。
【請求項８】
予め設定されたコンテンツデータを放送網を介して送信するコンテンツ送信装置と、前記放送網を介して受信したコンテンツデータを記憶すると共に当該記憶したコンテンツデータをインターネット網に対して送信するコンテンツ録画装置と、前記放送網および前記インターネット網に接続して前記コンテンツデータを取得すると共に当該コンテンツデータの再生を行う再生部を備えたコンテンツ受信装置とを備えたコンテンツ受信システムであって、
前記コンテンツ受信装置は、
前記放送受信部および通信受信部により受信された前記コンテンツデータそれぞれを取得し記憶するコンテンツ保存部と、
前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供する再生コンテンツ選択部とを備えたことを特徴とするコンテンツ受信システム。
【請求項９】
前記請求項８に記載のコンテンツ受信システムにおいて、
前記コンテンツ録画装置は、前記コンテンツ受信装置でコンテンツデータが受信されるのに先立ち、予め設定された特定データを前記インターネット網を介して前記コンテンツ受信装置に送信する特定データ送信部を備え、
前記コンテンツ受信装置の前記再生コンテンツ選択部は、
前記コンテンツ録画装置から前記通信受信部に送り込まれた前記特定データをコンテンツデータに挿入して前記再生部に提供する特定データ挿入機能を有することを特徴とするコンテンツ受信システム。
【請求項１０】
放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置にあって、前記コンテンツデータの連続再生を行うためのコンテンツ受信方法であって、
前記放送受信部および通信受信部それぞれが前記コンテンツデータ受信し、
予め設定されたコンテンツ記憶部が前記コンテンツデータを記憶し、
前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供し、
前記再生部が前記コンテンツデータの再生を行うことを特徴とするコンテンツ受信方法。
【請求項１１】
放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置にあって、前記コンテンツデータの連続再生を行うためのコンテンツ受信プログラムであって、
前記放送受信部および通信受信部それぞれが前記コンテンツデータ受信処理を行うコンテンツ受信処理機能と、
予め設定されたコンテンツ記憶部に前記コンテンツデータを格納する処理を行うコンテンツ格納処理機能と、
前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供するコンテンツ選択機能とを、
予め設定されたコンピュータに実行させることを特徴とするコンテンツ受信プログラム。
【発明の詳細な説明】
【技術分野】
【０００１】
本発明は、データ放送を再生用に受信するためのデータ放送受信システムに関する。
【背景技術】
【０００２】
デジタル放送サービスが広がりを見せている中で、例えば、テレビジョン放送は、地上アナログテレビジョン放送から地上デジタルテレビジョン放送（地デジ）へと移行が進んでおり、２０１１年には完全移行が完了する。
また、２００６年からは携帯電話向け地上デジタルテレビジョン放送（通称ワンセグ放送）が開始され、携帯電話などを利用して屋外でテレビジョン放送を受信可能な方式として普及している。
更に、ＩＳＤＢ−Ｔｍｍ（Integrated Services Digital Broadcasting - Terrestrial for mobile multimedia）、ＭｅｄｉａＦＬＯ（Media Forward Link Only：メディアフロー）など、携帯電話向けマルチメディア放送の仕様検討も行われており、２０１２年にはサービスが開始される予定となっている。
【０００３】
上述のデジタル放送サービスでは、放送装置から受信装置へと放送網を介してコンテンツのブロードキャスト送信が行われる。このとき、放送網における通信状態が良好（正常状態）である場合には、放送装置から受信装置へとコンテンツは正常に配信され、受信装置の利用者は配信されたコンテンツを視聴することができる。
【０００４】
しかしながら、放送網の通信状態が不良な状態となった場合、放送装置より送信（放送）されたコンテンツは受信装置へと正常に到達せず、受信装置はコンテンツを正常に受信できないため、受信装置の利用者はコンテンツを視聴することができないといった不都合が生じ得る。
【０００５】
例えば、地上デジタルテレビジョン放送の受信装置である、地デジ対応テレビの設置場所およびその周囲の天候が著しく悪化した場合に、放送網における電波通信状態の悪化し、これにより、受信装置へのコンテンツの正常配信が阻害され、受信装置における視聴コンテンツの再生停止や視聴コンテンツ内におけるブロックノイズ発生といった現象が生じ得る。
【０００６】
また、携帯電話向け地上デジタルテレビジョン放送の受信装置であるワンセグ対応携帯電話が、利用者の移動に伴い、地下などの電波状態の悪いエリアに位置する場合、放送網は切断された状態となり、受信装置には放送されたコンテンツが到達しないため、受信装置の利用者はコンテンツを全く視聴できなくなってしまう。
【０００７】
一般的なデジタル放送サービスでは、上述のように、放送網における通信状態が不良状態であることにより、受信装置におけるコンテンツ再生（出力）が阻害され、受信装置の利用者のコンテンツ視聴が視聴できなかったシーン（コンテンツの特定の区間を指す）を、改めて受信し直すということができない。
【０００８】
これは、デジタル放送サービスが異なる受信装置を対象としたブロードキャストサービスであり、特定の受信装置に対してのみコンテンツ送信をやり直すことができない仕様であるためである
【０００９】
これに対する関連技術として、放送装置からブロードキャスト送信されるコンテンツを録画装置で録画しておき、放送網の状態悪化のために視聴が阻害されたシーンを、放送網とは別に予め設定された通信網を介して録画装置から受信装置に対してユニキャスト送信する方式が開示されている（特許文献１）。
【００１０】
この関連技術では、まず放送装置が、受信装置に対してコンテンツをブロードキャスト送信すると共に、放送装置とは別に設定された録画装置で、ブロードキャスト送信されたコンテンツを受信し、録画する。
ここで、上述のように、放送網の通信状態悪化やユーザ操作などにより受信装置へのコンテンツの不達が発生した場合に、このコンテンツ不達がブロードキャスト放送されたコンテンツのどのシーンで生じたかを放送装置もしくは録画装置に保存する。
そして、録画装置はコンテンツ不達の生じたシーン（不達シーン）を特定し、この不達シーンの初めから受信装置へと通信網経由でユニキャスト送信する。
これにより、受信装置の利用者は、視聴できなかったシーンの初めから、コンテンツ視聴を再開することができる。
【００１１】
また、これに対する関連技術として、データ放送を受信するデータ放送受信システムにあって、データ放送の受信を行う放送受信手段とインターネットアクセス手段とによる受信方式を受信状況に応じて切換えることにより、放送受信状態が悪く受信できなかったモジュールを受信するシステムが開示されている（特許文献２）。
【先行技術文献】
【特許文献】
【００１２】
【特許文献１】特開２００５−３１８２５０号公報
【特許文献２】特開２００１−３０８７４７号公報
【発明の概要】
【発明が解決しようとする課題】
【００１３】
しかしながら、上記特許文献１の関連技術では、録画装置から受信装置に不達シーンを送るユニキャスト送信状態に移行された場合、その後、例えば放送網における通信状態が改善された場合でも、放送網経由でのブロードキャスト送信が利用されるブロードキャスト送信状態へと戻すことが困難であることから、通信網を利用したユニキャスト送信状態が継続される。
【００１４】
このユニキャスト送信状態では、通信網や録画装置にかかる処理負荷の大きさが受信装置数に比例する。このため、ユニキャスト送信状態が継続されてしまうことにより、通信網および録画装置における処理負荷が大きくなり、通信網や録画装置の維持にかかるコストの増大が生じるといった不都合がある。
尚、ブロードキャスト送信では、放送網や放送装置にかかる処理負荷は受信装置数に依存しない。
【００１５】
また、ユニキャスト送信の開始後に、例えば、通信網の通信状態が悪くなり、且つ放送網の通信状態が改善した場合、上記関連技術１による方式では、通信網経由でのユニキャスト送信が継続されてしまい、この結果、受信装置には通信網を介して送り込まれるコンテンツに不達が生じ、受信装置の利用者はコンテンツを視聴できないといった不都合が生じ得る。
【００１６】
更に、上記特許文献２の関連技術では、放送網で取得できなかったデータ放送部分を通信網で取得するという手法であるため、放送受信手段およびインターネットアクセス手段でデータ放送が受信できない状況から、データ放送の受信が可能になった、つまりデータ放送受信が復旧した場合に、放送中の実時間のデータ放送に対するインターネットアクセス手段で受信されるデータ放送の遅延が継続されてしまう不都合が生じ得る。
【００１７】
［発明の目的］
本発明は、上記関連技術の有する不都合を改善し、放送網および通信網を介して送られるデジタル放送コンテンツを安定して連続再生し得るコンテンツ受信システム、コンテンツ受信装置、コンテンツ受信方法を提供することを、その目的とする。
【課題を解決するための手段】
【００１８】
上記目的を達成するために、本発明に係るコンテンツ受信装置は、放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置であって、前記放送受信部および通信受信部により受信された前記コンテンツデータそれぞれを取得し記憶するコンテンツ保存部と、前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供する再生コンテンツ選択部とを備えた構成をとっている。
【００１９】
また、本発明にかかるコンテンツ受信システムは、予め設定されたコンテンツデータを放送網を介して送信するコンテンツ送信装置と、前記放送網を介して受信したコンテンツデータを記憶すると共に当該記憶したコンテンツデータをインターネット網に対して送信するコンテンツ録画装置と、前記放送網および前記インターネット網に接続して前記コンテンツデータを取得すると共に当該コンテンツデータの再生を行う再生部を備えたコンテンツ受信装置とを備えたコンテンツ受信システムであって、前記コンテンツ受信装置は、前記放送受信部および通信受信部により受信された前記コンテンツデータそれぞれを取得し記憶するコンテンツ保存部と、前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供する再生コンテンツ選択部とを備えた構成を有する。
【００２０】
また、本発明にかかるコンテンツ受信方法は、放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置にあって、前記コンテンツデータの連続再生を行うためのコンテンツ受信方法であって、前記放送受信部および通信受信部それぞれが前記コンテンツデータ受信し、予め設定されたコンテンツ記憶部が前記コンテンツデータを記憶し、前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供し、前記再生部が前記コンテンツデータの再生を行うことを特徴としている。
【００２１】
更に、本発明にかかるコンテンツ受信プログラムは、放送網を介して送られたコンテンツデータを受信する放送受信部と、インターネット網を介して送られたコンテンツデータを受信する通信受信部と、前記受信されたコンテンツデータの再生を行う再生部を備えたコンテンツ受信装置にあって、前記コンテンツデータの連続再生を行うためのコンテンツ受信プログラムであって、前記放送受信部および通信受信部それぞれが前記コンテンツデータ受信処理を行うコンテンツ受信処理機能と、予め設定されたコンテンツ記憶部に前記コンテンツデータを格納する処理を行うコンテンツ格納処理機能と、前記放送受信部で受信されたコンテンツデータ，前記放送受信部で受信されたコンテンツデータ，および前記コンテンツ保存部に記憶されたコンテンツデータから前記再生部での前記コンテンツデータの連続再生用にコンテンツデータを選択して前記再生部に提供するコンテンツ選択機能とを、予め設定されたコンピュータに実行させることを特徴としている。
【発明の効果】
【００２２】
本発明は、以上のように構成され機能するので、これによると、放送受信部および通信受信部により受信されたコンテンツデータそれぞれを平行して記憶するコンテンツ保存部と、放送受信部および通信受信部における受信状態に基づいて、放送受信部、通信受信部、またはコンテンツ保存部から連続再生用のコンテンツデータを選択して再生する選択再生部を備えた構成としたことにより、放送されたデジタル放送コンテンツを安定して連続再生し得るコンテンツ受信装置、コンテンツ受信システム、コンテンツ受信方法、コンテンツ受信プログラムを提供することができる。
【図面の簡単な説明】
【００２３】
【図１】本発明によるコンテンツ受信システムにおける一実施形態を示す概略ブロック図である。
【図２】図１に開示したコンテンツ受信システムにおける受信装置の動作処理ステップを示すフローチャートである。
【図３】図１に開示したコンテンツ受信システムにおける受信装置の動作状態を示す説明図である。
【図４】図１に開示したコンテンツ受信システムにおける受信装置の動作状態が遷移する場合の一例を示す説明図である。
【図５】図５（Ａ），（Ｂ）はそれぞれ、図１に開示したコンテンツ受信システムにおける受信装置の選択部の動作処理ステップの一例を示すフローチャートである。
【図６】本発明によるコンテンツ受信システムにおける一実施形態を示す概略ブロック図である。
【図７】図６に開示したコンテンツ受信システムにおける受信装置で再生される再生コンテンツの一例を示す説明図である。
【発明を実施するための形態】
【００２４】
［実施形態１］
次に、本発明を実施するための実施形態について図面を参照して説明する。
【００２５】
本発明の実施形態１としての通信品質監視システムは、図１に示すように、放送網４を介して予め設定されたデジタル放送用のコンテンツ（コンテンツデータ）をブロードキャスト送信する放送装置１と、放送網４を介して送り込まれたコンテンツをブロードキャスト受信して保存すると共にこのコンテンツを通信網５を介してユニキャスト送信する録画装置２と、放送網４を介して送り込まれたコンテンツのブロードキャスト受信を行うと共に通信網５を介して送り込まれたコンテンツをユニキャスト受信する受信装置３を備えた構成を有する。
【００２６】
ここで、録画装置２は、放送装置１に対して放送網４を介して接続され、放送装置１からブロードキャスト送信されたコンテンツを受信する。また、受信装置３も放送装置１に対して放送網４を介して接続され、放送装置１からブロードキャスト送信されたコンテンツを受信するものとする。更に、受信装置３は、録画装置２に対して通信網５を介して接続され、録画装置２からユニキャスト送信されたコンテンツを受信する。
【００２７】
尚、本実施形態の構成内容である（放送装置１、録画装置２、および受信装置３）の組合せとして、具体的には、（地デジ放送局、タイムシフトサーバ、および地デジ対応テレビ）や（ワンセグ放送局、タイムシフトサーバ、およびワンセグ対応携帯電話）などが想定される。
【００２８】
放送装置１は、予め設定されたコンテンツソースからデジタル放送用の映像や音声などのコンテンツを接続１ａを介して取得する入力部１１と、入力部１１が取得したコンテンツを放送網４に向けてブロードキャスト送信する放送送信部１２を有する。
ここで、上記コンテンツとしては、時系列に沿って再生されるデジタルデータを想定している。例えば、ストリーミング再生される映像や音声、ストリーミング再生される音楽、および時系列に沿って表示される文字列等であってもよい。
【００２９】
また、上記コンテンツソースとしては、予め作成されたコンテンツを記憶している記憶装置、またはコンテンツを逐次撮影して取り込む撮影装置であってもよい。また、別の装置から放送されたコンテンツを受信する装置であってもよい。
【００３０】
録画装置２は、放送装置１から放送網４を介して送られたコンテンツをブロードキャスト受信する放送受信部２１と、放送受信部２１によりブロードキャスト受信されたコンテンツを保存するコンテンツ保存部２２と、コンテンツ保存部２２に保存されたコンテンツを通信網５にユニキャスト送信する通信送信部２３を備えている。
尚、放送送信部１２からブロードキャスト送信されたコンテンツは、接続４ａを介して録画装置２に送り込まれるものとする。
【００３１】
放送受信部２１は、放送装置１よりブロードキャスト送信されたコンテンツを受信すると共に受信したコンテンツを、接続２ａを介してコンテンツ保存部２２に供給する録画用コンテンツ受信供給機能を有する。
【００３２】
コンテンツ保存部２２は、放送受信部２１から録画用に供給されたコンテンツを、予め設定されたメモリやＨＤＤなどの記憶領域に格納し記憶する録画用コンテンツ記憶機能を有する。
通信送信部２３は、受信装置３からのユニキャスト受信要求が送り込まれた場合に、このユニキャスト受信要求に応じてコンテンツ保存部２２からコンテンツを取り出し、このコンテンツを通信網５に対してユニキャスト送信を行う（ユニキャスト送信機能）。ユニキャスト送信されたコンテンツは受信装置３へと送信される。
【００３３】
尚、上記録画装置２における、録画用コンテンツ受信供給機能、録画用コンテンツ受信供給機能、および、ユニキャスト送信機能は、前述の放送装置１および受信装置３における動作処理と平行して実行されるものとする。
【００３４】
受信装置３は、放送装置１から放送網４を介して送られた（ブロードキャスト送信された）コンテンツを受信（ブロードキャスト受信）する放送受信部３１と、録画装置２から通信網５を介してユニキャスト送信されたコンテンツを受信（ユニキャスト受信）する通信受信部３２と、放送受信部３１および通信受信部３２により受信されたコンテンツであるブロードやスト受信コンテンツおよびユニキャスト受信コンテンツを保存するコンテンツ保存部３３と、コンテンツ保存部３３に保存されたブロードキャスト受信コンテンツ、ユニキャスト受信コンテンツ、およびローカル保存コンテンツから、再生を行うコンテンツを選択する選択部３４と、選択部３４により選択されたコンテンツの再生を行う再生部３５を備えている。
ここで、受信装置３における上記放送受信部３１、通信受信部３２、コンテンツ保存部３３、再生部３５は、それぞれ選択部３４からの制御指示に基づき動作するものとする。
【００３５】
また、放送送信部１２からブロードキャスト送信されたコンテンツは、放送網４における接続４ｂを介して受信装置３に送り込まれるものとする。
【００３６】
放送受信部３１は、放送網４に対して接続４ｂを介して接続され、選択部３４からの指示に基づき、放送網４から送り込まれるコンテンツのブロードキャスト受信を行うブロードキャスト受信実行機能を備えている。
また、放送受信部３１は、ブロードキャスト受信したコンテンツ（放送コンテンツ）をコンテンツ保存部３３に格納する放送コンテンツ格納機能を有する。
【００３７】
更に、放送受信部３１は、ブロードキャスト受信したコンテンツ（放送コンテンツ）を選択部３４からの要求に応じて再生用コンテンツとして選択部３４に提供する再生用放送コンテンツ提供機能を備えている。
ここで、再生用コンテンツとして選択部３４に渡されたシーン（放送コンテンツ）は再生部３５により再生される。
【００３８】
通信受信部３２は、通信網５に対して接続５ｂを介して接続され、選択部３４からの指示に基づき、録画装置２から通信網５を介して送り込まれるコンテンツ（シーン）のユニキャスト受信を行うユニキャスト受信実行機能を備えている。
また、通信受信部３２は、ユニキャスト受信したコンテンツ（通信コンテンツ）をコンテンツ保存部３３に格納する通信コンテンツ格納機能を有する。
【００３９】
更に、通信受信部３２は、ユニキャスト受信したコンテンツ（通信コンテンツ）を選択部３４からの要求に応じて再生用コンテンツとして選択部３４に提供する再生用通信コンテンツ提供機能を備えている。
ここで、再生用コンテンツとして選択部３４に渡されたシーン（通信コンテンツ）は再生部３５により再生される。
【００４０】
コンテンツ保存部３３は、上述のように、放送受信部３１および通信受信部３２により受信されたコンテンツ（放送コンテンツおよび通信コンテンツ）を保持するコンテンツ保存機能を有する。
尚、コンテンツ保存部３３は、具体的には、ＨＤＤなどの記憶ディスクからなる記憶装置を含み構成されるものとする。
【００４１】
選択部３４は、図１に示すように、放送受信部３１、コンテンツ保存部３３、通信受信部３２、および再生部３５に対して、それぞれ接続３ｃ、接続３ｅ、接続３ｄ、および接続３ｆを介して接続して設けられ、上述のように、放送受信部３１、通信受信部３２、コンテンツ保存部３３、再生部３５に対して制御指示を行うことにより、それぞれの動作制御を行う動作制御機能を有する。
【００４２】
また、選択部３４は、放送網４における放送通信状態がコンテンツのブロードキャスト受信が可能な程に良好であるかを調査する放送通信状態調査機能を備えている。
ここで、選択部３４は、例えば、放送受信部３１が放送網４から受信した通信データを取得し、当該通信データに基づき放送網４における放送通信状態が、放送装置１から送出されたコンテンツのブロードキャスト受信が可能な程に良好であるか否かの判定を行うものとする。
【００４３】
また、選択部３４は、放送網４の放送通信状態が放送受信部３１におけるブロードキャスト受信が可能な程に良好である場合に、放送受信部３１に対して、コンテンツのブロードキャスト受信する処理（ブロードキャスト受信機能）の実行を指示するブロードキャスト受信制御機能を有する。
更に、選択部３４は、放送受信部３１に対して、当該放送受信部３１が受信した放送コンテンツをコンテンツ保存部３３への保存する処理（コンテンツ格納機能）の実行を指示する放送シーン格納制御機能を備えている。
【００４４】
また、選択部３４は、通信網５における通信状態が通信受信部３２によるコンテンツ（シーン）のユニキャスト受信が可能な程に良好であるかを調査する録画通信状態調査機能を備えている。
ここで、選択部３４は、例えば、通信受信部３２が通信網５から受信した通信データを取得し、当該通信データに基づき通信網５における通信状態が、録画装置２から送出されたシーン（コンテンツ）を通信受信部３２でユニキャスト受信が可能な程に良好であるか否かの判定を行うものとする。
【００４５】
また、選択部３４は、通信網５の通信状態が通信受信部３２におけるユニキャスト受信が可能な程に良好である場合に、通信受信部３２に対してシーン（コンテンツ）のユニキャスト受信（ユニキャスト受信機能）の実行を指示する（ユニキャスト受信制御機能）。
更に、選択部３４は、通信受信部３２に対して、通信受信部３２が受信したコンテンツをコンテンツ保存部３３への保存する処理（コンテンツ格納機能）の実行を指示する録画シーン格納制御機能を備えている。
【００４６】
また、選択部３４は、再生部３５で再生されたシーンと、放送受信部３１および通信受信部３２で受信されるシーンとを監視すると共に、このシーンに基づき再生部３５で再生されるシーン（再生すべきシーン：再生シーン）、および再生されるタイミングを検出する再生シーン検出機能を有する。
これにより、選択部３４は、コンテンツにおける再生できなかった区間のシーン、および再生部３５で再生が行われるシーン（再生シーン）を把握し管理するものとする。
【００４７】
更に、選択部３４は、再生部３５で再生されるコンテンツのシーンがコンテンツ保存部３３に保存済であるか否かを調べるコンテンツ保存調査機能を有する。尚、このコンテンツ保存調査機能は接続３ｅを介して行われるものとする。
【００４８】
ここで、再生部３５における再生シーンがコンテンツ保存部３３に保存済である場合、選択部３４は、コンテンツ保存部３３から保存済のシーンを取得し再生部３５へと供給する（再生シーン供給機能）。
【００４９】
尚、選択部３４は、放送網４および通信網５の通信不良により再生できなかったコンテンツ区間があり、更には、放送網４または通信網５の通信状態が復旧した場合に、放送受信部３１に送り込まれる実時間の放送コンテンツと、再生部３５において再生されるシーン（再生シーン）との差異（再生差異）を常時監視しているものとする。
【００５０】
ここで、放送受信部３１でブロードキャスト受信が行われているときに、再生部３５で再生されるシーン（再生シーン）が放送受信部３１で受信中のシーンと共通内容である場合（再生差異がない場合）、選択部３４は、放送受信部３１で受信中のシーンを取得し再生部３５に供給するものとする。
尚、選択部３４は、ブロードキャスト受信されたシーンおよびユニキャスト受信されたシーンは、例えば画像解像度などのコンテンツにかかる特性が異なるものであってもよい。
【００５１】
更に、選択部３４は、コンテンツ保存部３３で保存済のシーンを再生部３５に供給する（保存済みシーン供給）場合、もしくは、放送受信部３１でブロードキャスト受信中のシーンを再生部３５に供給する（ブロード受信中シーン供給）場合に、通信受信部３２におけるコンテンツ（シーン）のユニキャスト受信が実行されているか否かを調べるユニキャスト受信判定機能を有している。
ここで、通信受信部３２でユニキャスト受信を実行されている場合、選択部３４は、通信受信部３２へとユニキャスト受信の停止を指示する（ユニキャスト受信停止制御機能）。
【００５２】
また、放送受信部３１でブロードキャスト受信中のシーンが再生部３５で再生されるシーン（再生シーン）とは異なり、更には、再生部３５における再生シーンがコンテンツ保存部３３に保存されていない場合、選択部３４は、通信受信部３２でコンテンツ（シーン）のユニキャスト受信が可能な程に通信網５の通信状態が良好であるか否かを、通信受信部３２を介して調査する（通信網通信状態調査機能）。
【００５３】
ここで、選択部３４は、通信網５における録画通信状態が通信受信部３２におけるユニキャスト受信が可能な程に良好である、つまり、ユニキャスト受信が正常に実行可能な程度の通信帯域が確保されていると判定された場合に、通信受信部３２に対して、ユニキャスト送信されるシーンを受信してこのシーンをコンテンツ保存部３３に格納する処理の実行を指示する（ユニキャスト受信制御指示機能）。
【００５４】
このとき、選択部３４は、上述のように、通信受信部３２がユニキャスト受信中のシーンを再生用シーンとして再生部３５に供給する（受信中録画コンテンツ供給機能）。
【００５５】
また、一定の時間が経過するか、あるいは、利用者の操作（シーク等）により、再生部３５で再生されるシーン（再生シーン）が更新された場合に、選択部３４は、放送網４の放送通信状態を再度調査する（放送通信状態再調査機能）。
【００５６】
以上に示す構成により、選択部３４は、放送受信部３１でブロードキャスト受信しているシーン、通信受信部３２でユニキャスト受信しているシーン、コンテンツ保存部３３に保存済のシーンのいずれかを、放送網４および通信網５の通信状態に応じて選択し再生用のシーンとして再生部３５に供給することができる。
【００５７】
このため、本実施形態では、放送網４および通信網５の通信状態が復旧した後もこの放送網４および通信網５から平行してシーンの取得を行い、選択部３４が、透過的に切換えながら再生部３５に提供することにより、シーンの取得先を利用者（視聴者）には意識させることなく、放送された全コンテンツを再生することができる。
【００５８】
再生部３５は、上述のように、選択部３４により選択供給されたシーンを、受信装置３に予め設定されたディスプレイやスピーカーなどの出力装置に対して出力再生するシーン再生出力機能を有する。
【００５９】
尚、本実施形態では、ブロードキャスト受信あるいはユニキャスト受信したコンテンツを再生せずに、コンテンツ保存部３３にコンテンツを記憶保持する設定としてもよい。
この場合、選択部３４が、受信装置３の再生部３５における再生出力機能の実行を抑制する。
【００６０】
ここで、受信装置３における動作状態について、図３に基づき説明する。
【００６１】
尚、受信装置３の動作状態は、図３に示すように、放送受信部３１におけるブロードキャスト受信の実行の有無（実行／停止）と、通信受信部３２におけるユニキャスト受信の実行の有無（実行／停止）と、再生部３５で再生されるシーンの供給元の組み合わせにより、状態Ａ〜Ｆの６種類に分類される。
【００６２】
状態Ａでは、放送受信部３１のブロードキャスト受信が実効状態、通信受信部３２のユニキャスト受信が停止状態にあり、放送受信部３１でブロードキャスト受信中のシーンが再生部３５に提供され、再生される。これは、例えば、放送網４の通信状態が良好な状態な場合であり、ブロードキャスト送信されているシーンがリアルタイムに出力される。
このとき、視聴者はブロードキャスト送信されているシーンをリアルタイムに視聴することができる。
【００６３】
また、状態Ｂでは、放送受信部３１のブロードキャスト受信が実効状態、通信受信部３２のユニキャスト受信が停止状態にあり、保存部３３に予め保存されたシーンが再生部３５に提供され、再生される。これは、例えば、放送網４の通信状態が良好な状態な場合に、視聴者が、予め保存部３３に保存されていたシーンを遡って視聴したい場合などに適用される。
【００６４】
また、状態Ｃでは、放送受信部３１のブロードキャスト受信が実効状態にあり、更には、通信受信部３２のユニキャスト受信も実行状態にあり、通信受信部３２でユニキャスト受信中のシーンが再生部３５に提供され、再生される。これは、例えば、放送網４および通信網５の通信状態が良好な状態な場合に、予め保存部３３には保存されていないシーンを視聴者が視聴する場合に生じ得る。
【００６５】
更に、状態Ｄでは、放送受信部３１のブロードキャスト受信が停止状態にあり、更には、通信受信部３２のユニキャスト受信も停止状態にあり、保存部３３に予め保存されたシーンが再生部３５に提供され、再生される。これは、例えば、放送網４の通信状態が不良な状態な場合に、視聴者が、予め保存部３３に保存されていたシーンを遡って視聴したい場合などに生じ得る。
【００６６】
更に、状態Ｅでは、放送受信部３１のブロードキャスト受信が停止状態にあり、通信受信部３２のユニキャスト受信が実行状態にあり、通信受信部３２でユニキャスト受信中のシーンが再生部３５に提供され、再生される。これは、例えば、放送網４の通信状態が不良な状態な場合に、予め保存部３３に保存されていないシーンを視聴者が遡って視聴したい場合などに生じ得る。
【００６７】
更に、状態Ｆでは、放送受信部３１のブロードキャスト受信が停止状態にあり、更には、通信受信部３２のユニキャスト受信も停止状態にあり、再生部３５にはシーンが提供されないため、シーンの再生も行われない。これは、例えば、放送網４および通信網５の通信状態が不良な状態な場合に、ブロードキャスト送信されるシーンをリアルタイム再生しようとした場合や、保存部３３に保存されていないシーンを再生しようとした場合に生じ得る。
【００６８】
以上のように、本実施形態では、放送網４の通信状態が不良となった区間のシーンを、通信網５の通信状態が受信可能である場合に、通信受信部３２でシーンを取得しこれを再生する。
尚、通信受信部３２は、受信したシーンをコンテンツ保存部３３に保存するものとする。
【００６９】
また、放送網４の通信状態が受信可能になった場合に、放送受信部３１が受信したシーンをコンテンツ保存部３３に格納し、通信受信部３２で受信され再生されるシーンがコンテンツ保存部３３に格納されているシーンに追いついたときに、選択部３４は、通信受信部３２によるユニキャスト受信を停止し、これと同時に、再生されるシーンの取得先をコンテンツ保存部３３に切換え、保存されたシーンを取得し再生することができる。
【００７０】
また、放送網４および通信網５の通信状態が不良になった場合にも、コンテンツ保存部３３に保存されたシーンを再生する設定としてもよい。
【００７１】
尚、本実施形態では、再生部３５がコンテンツ保存部３３に保存済のシーンの再生を行わない設定であってもよいものとする。
尚、この場合でも、選択部３４は、放送受信部３１で受信中のシーンを取得し再生部３５に供給するものとする。
【００７２】
ここで、再生部３５がコンテンツ保存部３３に保存済のシーンの再生を行わない場合の選択部３４の動作処理ステップについて、図５（Ａ），（Ｂ）それぞれのフローチャートに基づき説明する。尚、選択部３４は、図５（Ａ）および図５（Ｂ）に示す動作それぞれを並行して実施するものとする。
【００７３】
選択部３４は、ブロードキャスト受信が可能な程に放送網４の状態が良好であるかを一定時間ごとに調査する（ステップＳ５１）。
ここで、放送網４の状態が良好である場合、選択部３４は、ブロードキャスト受信処理、およびブロードキャスト受信された受信コンテンツのコンテンツ保存部３３への保存処理を、放送受信部３１に対して指示する（ステップＳ５２）。
【００７４】
次いで、予め設定された一定時間の経過後に、再び放送網４の状態が良好であるか否かを調査する（ループ：ステップＳ５１へ）。
尚、上記ステップＳ５１およびＳ５２は、放送装置１からの放送網４を経由してのブロードキャスト送信が行われている最中に実施されるものとする。
【００７５】
また、選択部３４は、ブロードキャスト送信されたが放送網４の状態が悪くてコンテンツ保存部３３に保存されなかったシーンがあるか否かを調査し（ステップＳ６１：保存コンテンツ調査機能）、この調査結果として、保存部３３に保存されなかった（放送済みの）シーンがある場合、選択部３４は、通信網５の通信状態について、ユニキャスト受信が可能な程に通信状態が良好であるか否かを調査する（ステップＳ６２）。
【００７６】
ここで、通信網５の状態が、ユニキャスト受信が可能な程に良好である場合、選択部３４は、ユニキャスト受信処理、およびユニキャスト受信したシーン（コンテンツ）のコンテンツ保存部３３への保存処理を、通信受信部３２に指示する（ステップＳ６３）。
【００７７】
この指示を受けた通信受信部３２は、通信網５を介して録画装置２から送られたコンテンツをユニキャスト受信すると共にコンテンツ保存部３３へと保存する。
次いで、予め設定された一定時間が経過した場合に、上記保存コンテンツ調査機能を実行する（ループ：ステップＳ６１へ）。
【００７８】
ここで、選択部３４は、上記ステップＳ６１〜Ｓ６３（図５（Ｂ））に示すループ動作を、放送受信部３１によるブロードキャスト受信が行われている最中に、これに並行して実施する設定としてもよい。また、放送受信部３１によるブロードキャスト受信が完了した場合に、上記ステップＳ６１〜Ｓ６３（図５（Ｂ））に示すループ動作を行う設定であってもよい。
【００７９】
また、通信網４における通信状態に依らず、通信受信部３２の状態がユニキャスト受信に適している場合に限り、上記ステップＳ６１〜Ｓ６３（図５（Ｂ））に示すループ動作を行う設定であってもよい。
【００８０】
具体的には、通信網４の輻輳を避けるために、例えば、コンテンツ受信以外の用途で通信網４を使用していない場合に限りユニキャスト受信を行う、また、受信装置３がバッテリ駆動される種類の装置である場合にバッテリ駆動時間を延ばすために、バッテリ残量が十分にある場合に限りユニキャスト受信する設定であってもよい。
【００８１】
以上のように、本実施形態では、放送網や通信網における通信状態が変動する環境においても、受信端末３においては、放送されたコンテンツの全シーンを確実に保存（受信装置３内に記憶保持する）することが可能になる。
【００８２】
［実施形態１の動作説明］
次に、本実施形態１の全体的な動作について、その概略を説明する。
【００８３】
まず、放送受信部３１および通信受信部３２がそれぞれ受信したコンテンツデータをコンテンツ保存部３３に平行して記憶し（コンテンツ格納工程）、放送受信部３１および通信受信部３２における受信状態を監視する（受信状態監視工程）、
次いで、選択部３４が、放送受信部３１で受信中のコンテンツデータ、通信受信部３２で受信中のコンテンツデータ、およびコンテンツ保存部３３に格納されたコンテンツデータから、受信状態の監視結果に基づいてコンテンツデータを選択し、連続再生用にて前記再生部３５に対して連続再生用に提供する（コンテンツ選択提供工程）。
ここで、上記コンテンツ格納工程、受信状態監視工程、およびコンテンツ選択提要工程については、その実行内容をプログラム化して実行する構成としてもよい。
【００８４】
次に、本実施形態１にかかる上記コンテンツ受信システムの動作について、図２のフローチャートに基づき説明する。
【００８５】
放送装置１の入力部１１が、接続１ａを介して、任意のコンテンツソースからコンテンツを取り込み、接続１ｂを介して、放送送信部１２に供給する。
ここで、上記コンテンツは、ストリーミング再生される映像と音声、ストリーミング再生される音楽、時系列に沿って表示される文字列など、時系列に沿って再生されるファイルデータであるものとする。
【００８６】
また、コンテンツソースとしては、事前作成しておいたコンテンツを格納している記憶装置、コンテンツを逐次撮影して取り込む撮影装置、別の装置から放送されてくるコンテンツを受信する装置などであってもよい。
【００８７】
次いで、放送送信部１２は、供給されたコンテンツを放送網４を介してブロードキャスト送信する。ブロードキャスト送信されたコンテンツは、接続４ａを通して録画装置２で受信されると共に、接続４ｂを介して受信装置３でも受信される。
【００８８】
次に、録画装置２の放送受信部２１は、放送装置１よりブロードキャスト送信されたコンテンツを受信（ブロードキャスト受信）する。
放送受信部２１は、受信したコンテンツを、接続２ａを介してコンテンツ保存部２２に供給する。
ここで、コンテンツ保存部２２は、供給されたコンテンツを予め設定された記録媒体に保存する。
また、通信送信部２３は、受信装置３からのユニキャスト受信要求が行われた際に（後述）、接続２ｂを介してコンテンツ保存部２２からコンテンツを取り出し、通信網５の接続５ａを介して、受信装置３へとユニキャスト送信する。
【００８９】
尚、上述の録画装置２における処理は、前述の放送装置１における処理、および後述の受信装置３における処理と並行して実行されるものとする。
【００９０】
また、受信装置３は、選択部３４の指示に基づき動作する。
ここで、受信装置３の選択部３４の動作について、図２のフローチャートに基づいて説明する。
まず、選択部３４は、ブロードキャスト受信が可能な程に放送網４の状態が良好であるかを調査しているものとする（ステップＳ２１）。
ここで、放送網４の状態が良好である場合に、選択部３４は、放送受信部３１に対して、コンテンツのブロードキャスト受信、および受信したコンテンツのコンテンツ保存部３３への保存処理の実行を指示する（ステップＳ２２）。
【００９１】
次いで、選択部３４は、再生部３５で再生されるシーンがコンテンツ保存部３３に保存済であるかを、接続３ｅを介して調査する（ステップＳ２３）。
ここで、再生部３５で再生されるシーンがコンテンツ保存部３３に保存済であった場合、選択部３４は、接続３ｅおよび接続３ｆを通して、コンテンツ保存部３３に保存済のシーンを再生部３５へと供給する（ステップＳ２４）。
【００９２】
また、放送受信部３１でブロードキャスト受信を行っており再生部３５で再生するシーンが放送受信部３１で受信中のシーンと共通の内容であり（ステップＳ２５）、さらに、再生部３５でコンテンツ保存部３３に保存済のシーンが再生されない場合に、選択部３４は、接続３ｃおよび接続３ｆを通して、放送受信部３１で受信中のシーンを再生部３５に供給する（ステップＳ２６）。
【００９３】
ここで、選択部３４がコンテンツ保存部３３で保存済のシーン、あるいは、放送受信部３１でブロードキャスト受信中のシーン、のどちらかを再生部３５に供給する場合、選択部３４は、接続３ｄを介して通信受信部３２でユニキャスト受信が実行されているか否かを調査する（ステップＳ３０）。
【００９４】
このとき、ユニキャスト受信が実行されている場合には、選択部３４は、接続３ｄを介して通信受信部３２へとユニキャスト受信の停止を指示する（ステップＳ３１）。
これにより、通信受信部３２はユニキャスト受信を停止する（ユニキャスト受信抑制制御機能）。
【００９５】
また、ブロードキャスト受信中のシーンが再生部３５で再生されるシーンでなく、かつ、再生されるシーンがコンテンツ保存部３３に保存されていない場合は、選択部３４は、ユニキャスト受信が可能な程に通信網５における通信状態が良好であるかを調査する（ステップＳ２７）。
【００９６】
通信網５の状態が良好である場合、選択部３４は、通信受信部３２に対して、ユニキャスト受信、および受信したコンテンツのコンテンツ保存部３３への保存処理の実行を指示する（ステップＳ２８）。
当該指示を受けた通信受信部３２は、接続５ａを介して録画装置２からコンテンツをユニキャスト受信してコンテンツ保存部３３へと保存する。
ここで、選択部３４は、通信受信部３２でユニキャスト受信中のシーンを、接続３ｄと接続３ｆを通して再生部３５へと供給する（ステップＳ２９）。
【００９７】
次いで、予め設定された一定の時間が経過したとき、あるいは、利用者の操作（シーク等）により再生部３５で再生されるシーンが更新された場合に、選択部３４は、放送網４の状態の調査を行う（ループ：ステップＳ２１へ）。
【００９８】
上記ステップＳ２１〜ステップＳ３１の処理を実行することにより、再生部３５には、放送受信部３１でブロードキャスト受信している最中のシーン、通信受信部３２でユニキャスト受信しているシーン、または、コンテンツ保存部３３に保存済であったシーンのいずれかが供給されることになる。
再生部３５は、供給されたシーンを、接続３ｇを介して、予め設定されたディスプレイやスピーカーへと出力し再生する。
ここで、受信装置３の状態は、上述のように、ブロードキャスト受信またはユニキャスト受信の実行の有無と、再生部３５に供給されるシーンがブロードキャスト受信中のシーン、ユニキャスト受信中のシーン、または保存済のシーンのいずれかであるかに応じて、状態Ａ〜Ｆの６種類に分類されるものとする（図３）。
【００９９】
また、この状態Ａ〜Ｆのうちの遷移例を示したものが図４である。
尚、ここでは、本実施形態における（放送装置１、録画装置２、受信装置３）の組み合せとして（ワンセグ放送局、タイムシフトサーバ、ワンセグ対応携帯電話）を利用する場合を例示している。
【０１００】
ここで、受信装置３における上記状態Ａ〜Ｆのうち、状態Ａ，Ｆ，Ｃ，Ｂが、この順に遷移する場合の受信装置３の動作について、図４に基づき説明する。
ここでは、本実施形態における放送装置１のワンセグ放送局、録画装置２としてのタイムシフトサーバ、受信装置３としてのワンセグ対応携帯電話をそれぞれ利用した場合を示すものとする。また、受信装置３（ワンセグ対応携帯電話）の位置は、当該受信装置３の保持者である利用者の移動に伴い移動しているものとする。
【０１０１】
まず、放送網４および通信網５の通信状態が良好な地上に受信装置３が位置する場合、放送装置１からブロードキャスト送信され放送受信部３１で受信されているシーンと再生部３５で再生されるシーンとが共通であるため、図４に示すように、放送受信部３１でブロードキャスト受信されているシーンが再生部３５で再生される（（１）：図３中の状態Ａ）。
【０１０２】
次いで、受信装置３の位置が放送網４および通信網５の通信状態が不良な地下に移動した場合、受信装置３ではシーンの受信が不可能となり、シーンの再生を行うことができない（（２）：図３中の状態Ｆ）。
【０１０３】
その後、受信装置３の位置が地上に移動したことにより、放送網４および通信網５の通信状態が良好状態に回復した場合（３）、この時点では、受信装置３（再生部３５）で再生されるシーンは、放送受信部３１でブロードキャスト受信されているシーン（実時間シーン）より遅れている状態となる。
このとき、受信装置３は、再生部３５で再生されるシーンを、通信受信部３２がユニキャスト受信により通信網５から受信する。
また、このとき選択部３４は放送網４の通信状態を調査し、この通信状態がブロードキャスト受信可能な程に回復している場合は、通信受信部３２によるユニキャスト受信に並行して放送受信部３１によるブロードキャスト受信を実行し、ブロードキャスト受信したシーンをコンテンツ保存部３３に保存する（（３）：図３中の状態Ｃ）。
【０１０４】
次いで、再生部３５で再生されるシーンが、コンテンツ保存部３３で保存済みのシーンに追いついた時点で、選択部３４は、通信受信部３２におけるユニキャスト受信を停止し、再生部３５で再生されるシーンをコンテンツ保存部３３に保存済みのシーンへと切替え、これにより、選択部３４は、コンテンツ保存部３３に保存済みの再生用シーンを再生部３５に供給する。
このとき、放送網４からのブロードキャスト受信と、ブロードキャスト受信したシーンのコンテンツ保存部３３への保存処理とは、再生部３５における上記シーンの再生に並行して実行されるものとする（（４）：図３中の状態Ｂ）。
【０１０５】
以上のように、受信装置３としてワンセグ対応携帯電話を利用する場合、受信装置３の位置は時間経過と共に移動することが多く、例えば、上述のように、コンテンツのブロードキャスト受信を開始した時点では地上にいたが（放送網４と通信網５の両方が良好）、一定時間経過後に地下に移動して（放送網４と通信網５の両方が不良）、更なる一定時間経過後には地上に移動する（＝放送網４と通信網５の両方が良好）、という遷移を辿る場合がある（図４）。
【０１０６】
このような場合、上記関連技術では、一旦（放送網４と通信網５の両方が不良）となった場合に、その後録画装置２からのユニキャスト受信を継続しなければ、コンテンツの全シーンを再生することはできなかった。
【０１０７】
これに対して、本実施形態では、上述のように、放送網４と通信網５の両方が不良となった区間のシーンだけをユニキャスト受信し、他のシーンについてはブロードキャスト受信したもの、および予め保存したシーンを再生することにより、コンテンツに含まれる全シーンを安定して再生することができる。
【０１０８】
また、これにより、通信網や録画装置を維持するためのコストを増大させることなく、更には、通信網の状態が悪化して放送網の状態が改善した場合にも、受信装置にコンテンツの全シーンを安定して送り届けることができる。
【０１０９】
以上のように、本実施形態では、放送受信部３１および通信受信部３２で受信したシーンの再生および保存（記憶）を同時平行して行い、シーンの受信ができない場合に予め保存したシーンの再生へと切替えることで、ブロードキャスト受信したシーンの再生を優先したコンテンツの再生を行うことができる。
また、ユニキャスト受信したシーンを再生する区間（時間）をより短くすることができ、ブロードキャスト受信できなかった区間を含め、放送されたコンテンツに含まれる全シーンを、より安定して市長可能に再生することができる。
【０１１０】
更に、受信装置３では、例えば、ニュース映像やスポーツ中継映像などの実時間に近い再生が求められる映像コンテンツ（ストリーミング映像）を、利用者（視聴者）には意識させることなく、放送されているコンテンツに対してよりリアルタイムに近い形でコンテンツの再生を行うことができる。
さらには、通信受信部にかかる処理負荷を軽減することができるため、通信網および録画装置にかかるコストを軽減することができる。
【０１１１】
［実施形態２］
次に、本発明に係る実施形態２のコンテンツ受信システムについて説明する。
ここで、前述した実施形態１と同一の部分については、同一の符号を付するものとする。
この実施形態２では、コンテンツ受信システムの機器構成部分は前述した実施形態１とほぼ同一の構成を備えており、実施形態１における受信装置３に通信送信部３６を組み込んだ点が、実施形態１の場合と相違する。
【０１１２】
本実施形態における通信送信部３６は、受信装置３の内部に、コンテンツ保存部３３および通信受信部３２に接続して設けられ、通信網５を介して他の受信装置から送り込まれた要求に応じて、コンテンツ保存部３３内に記憶されたコンテンツ（シーン）を取得すると共に通信網５を介して返信する。
【０１１３】
一般に、あるコンテンツが放送装置からブロードキャスト送信された場合、このコンテンツのブロードキャスト受信を行う異なる受信装置が接続された放送網の状態は、それぞれで異なる。
つまり、例えば、ある受信装置の周囲の放送網は良好な状態であるが、別の受信装置の周囲の放送網は不良な状態である、という状況が生じ得る。
また、各受信装置にとっての放送網の状態は時間経過と共に変わり得る。これは、受信装置の周囲の天候の変化や、受信装置の移動によっても生じる。
【０１１４】
このため、受信装置それぞれでブロードキャスト受信処理（図５）が行われた段階では、各受信装置に設定されたコンテンツ保存部（３３に相当）には、それぞれで異なるシーンが格納されている状態が生じる。
【０１１５】
ここで、選択部３４は、再生部３５に供給するシーン（再生部３５で再生されるシーン：以下「再生シーン」という）がコンテンツ保存部３３に格納されていないことを検知した場合に、通信送信部３６に対して、再生シーンの取得要求を行う。
【０１１６】
通信送信部３６は、選択部３４からの取得要求に応じて、通信網５を介して他の受信装置に対して再生シーン取得要求を送信する（再生シーン取得要求機能）。
ここで、通信装置部３６が再生シーン取得要求の送信先は、通信網５に接続され、予め設定された異なる受信装置であってもよい。
【０１１７】
通信受信部３２は、他の受信装置から送り込まれた再生シーン取得要求を受信した場合に、これを通信送信部３６に通知し、通信送信部３６は、当該再生シーン取得要求の内容に応じてコンテンツ保存部３３から対応する再生シーンを取得して、再生シーン取得要求の送信元である受信装置（ここでは、上記「他の受信装置」）に対して再生シーンを送信する。
【０１１８】
ここで、受信装置３の選択部３４は、他の受信装置から通信受信部３２に送り込まれた再生シーンを再生部３５にコンテンツ保存部３３に格納する制御を行うものとする。
また、選択部３４は、他の受信装置から通信受信部３２に送り込まれた再生シーンを再生部３５に供給し再生部３５がこれを再生してもよい。
【０１１９】
これにより、通信網５を介して相互に接続された受信装置間では、例えば、無線ＬＡＮのアドホックモードのような手法により、コンテンツ保存部（３３に相当）に格納されたコンテンツ（シーン）を共有することができ、通信網５を介して接続された別の受信装置を、録画装置のように、特定のシーンの供給元として利用することが可能となる。
このため、受信装置は、放送網および通信網の通信状態の変化により取得できなかったコンテンツ（シーン）を、通信網５を介して異なる受信装置から相補的に取得し、保存または再生することができる
【０１２０】
以上のように、本実施形態では、受信装置は、放送網や通信網の状態が変動する環境において、専用の録画装置（２に対応）から送られるコンテンツ（シーン）を利用することなく、通信網５を介して他の受信装置から任意のコンテンツ（シーン）を取得することにより、放送されたコンテンツの全シーンを取得（受信）することが可能となる。
【０１２１】
［実施形態３］
次に、本発明に係る実施形態２のコンテンツ受信システムについて説明する。
ここで、前述した実施形態１と同一の部分については、同一の符号を付するものとする。
この実施形態３では、コンテンツ受信システムの機器構成部分は前述した実施形態１とほぼ同一の構成を備えており、実施形態１における録画装置２に利用コンテンツ保存部２４を組み込んだ点が、実施形態１の場合と相違する。
【０１２２】
本実施形態における利用コンテンツ保存部２４は、図６に示すように、コンテンツ保存部２２および通信送信部２３に対して接続２ｃを介して接続して設けられ、受信装置３の利用者の嗜好や、受信装置３の位置に応じて予め設定された特定のシーン（特定シーン）を記憶しているものとする（特定シーン保持機能）。
尚、上記特定シーンは、当該特定シーンが送り込まれる受信装置３の利用者の嗜好や受信装置３の位置などに対応して設定されたシーンであるものとする。
【０１２３】
また、通信送信部２３は、利用コンテンツ保存部２４に格納された特定シーンを、穂送受信部２１がコンテンツの受信（ブロードキャスト受信）を行うのに先立ち、通信網５を介して受信装置３に送信する特定シーン送信機能を有する。
【０１２４】
これにより、受信装置３は、放送されたコンテンツをブロードキャスト受信するのに先立ち、受信装置３の利用者の嗜好や受信装置３の位置に応じて、予め設定された特定シーンを、ユニキャスト受信することができる。
これにより、受信装置３は、各受信装置固有の内容である特定シーンを再生することができる。
【０１２５】
ここで、本実施形態の動作について、図６、７に基づき説明する。
受信装置３の選択部３４は、通信受信部３２に対して、特定シーンのユニキャスト受信処理、および受信した特定シーンのコンテンツ保存部３３への保存処理を指示する。
【０１２６】
次いで、通信受信部３２は、録画装置２（通信送信部２３）から通信網５を介して送り込まれた特定シーンを、ユニキャスト受信してコンテンツ保存部３３へと保存する（特定シーン保存機能）。
【０１２７】
尚、上記特定シーン保存機能は、放送装置１から放送網４を介して放送されるコンテンツを放送受信部３１が受信する、ブローキャスト受信の開始前に実行されるものとする。
これにより、放送装置１によるコンテンツのブロードキャスト送信が始まる前に、それぞれの受信装置のコンテンツ保存部には、各受信装置に最適化されたシーンが予め保存される。
【０１２８】
尚、本実施形態における受信装置３の選択部３４は、実施形態１と同様に動作する（図２）。
本実施形態の場合、図２のフローチャートにおける「再生部で再生するシーンはコンテンツ保存部３３に保存済のシーンか？」を判定するステップＳ２３では、個々の受信装置３に最適化されたコンテンツ（特定シーン）がコンテンツ保存部３３に事前保存されているため、ステップＳ２３では、ブロードキャスト受信して保存されたコンテンツではなく、コンテンツ保存部３３に特定シーンが予め保存されている場合に、選択部３４は、この特定シーンを再生部３５へと供給する（ステップＳ２４）。
【０１２９】
また、実施形態１では、放送網４と通信網５が両方とも状態が不良であり、コンテンツ保存部３３にも再生シーンが保存されていない場合、再生部３５には、コンテンツ（シーン）が供給されない場合が生じ得る。
これに対して、本実施形態では、事前にユニキャスト受信され保存された特定シーンが再生部３５に供給されるものとする。
【０１３０】
尚、本実施形態における利用コンテンツ保存部２４に事前格納されるコンテンツ（特定シーン）の形式としては、ストリーミング映像や音声が設定されるものとする。
【０１３１】
例えば、ストリーミング映像として、各受信装置の利用者の嗜好や、各受信装置の位置などに応じて設定されたＣＭ（コマーシャル・メッセージ）を、利用コンテンツ保存部２４に保存しておき、放送装置１からコンテンツのブロードキャスト送信が行われるのに先立ち、各受信装置に対して、このＣＭをユニキャスト送信する。
【０１３２】
これにより、受信装置３のコンテンツ保存部３３には録画装置２からの事前ユニキャスト受信コンテンツとしての特定シーンが保存され、受信装置３は、この状態で放送装置１からの放送コンテンツをブロードキャスト受信する。
【０１３３】
ここで、放送装置１からのブロードキャスト受信コンテンツには、例えば、このコンテンツには予め設定された、全受信装置で共通のＣＭ（以下「共通ＣＭ」という）が設定されているものとする（図７上段）。
【０１３４】
ここで、選択部３４は、コンテンツ保存部３３に特定シーンが予め保存されている場合には、ブロードキャスト受信コンテンツを再生部３５に送信する際に、上記共通ＣＭを特定シーンに差し替えて再生部３５に供給するものとする（図７下段：最適化シーン差替え機能）。
このため、受信装置３で再生されるコンテンツ（再生コンテンツ）には、各受信装置の利用者の嗜好や、各受信装置の位置などに応じて設定されたＣＭ（コマーシャル・メッセージ）が（共通ＣＭに換えて）挿入される（図７）。
これにより、本実施形態では、受信装置の利用者に対して、コンテンツの視聴時に、利用者の嗜好や、各受信装置の位置などに対応した情報（特定シーン）を提供することができる。
【産業上の利用可能性】
【０１３５】
本発明は、デジタル放送サービスと大容量無線通信サービスとの組み合わせにより利用者に対してデジタルコンテンツの提供を行うコンテンツ提供システムに有用に適用することができる。
【符号の説明】
【０１３６】
１  放送装置
２  録画装置
３  受信装置（コンテンツ受信装置）
４  放送網
５  通信網
１１  入力部
２１  放送受信部
２２  コンテンツ保存部
２３  通信送信部
２４  利用コンテンツ保存部
３１  放送受信部
３２  通信受信部
３３  コンテンツ保存部
３４  選択部
３５  再生部
【図１】
2011120089.tif 000003
【図２】
2011120089.tif 000004
【図３】
2011120089.tif 000005
【図４】
2011120089.tif 000006
【図５】
2011120089.tif 000007
【図６】
2011120089.tif 000008
【図７】
2011120089.tif 000009